【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
医薬組成物であって、該組成物が1種以上の式IもしくはIIの化合物、またはその製薬上許容される塩、および製薬上許容される担体を含んでなり、式Iが：
【化１】
2004520372.tif 000001
［式中：
Xは、エポキシド、ケトン、チオカルボニル、オキシム、−OH、−OR、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSR、−NO2、−OSO3H、−SO3H、−SOR、および−SO2Rからなる群から選択される1個以上の置換基で場合によって置換された11個から30個の炭素を有する飽和、もしくは不飽和の、直鎖状、分枝状、もしくは部分的に環状化したアルキル鎖であって；このアルキル鎖中に存在する１個以上のCH2基は、場合によってO、S、NH、およびNRからなる群から選択される部分で置換され；このアルキル鎖中に存在する１個以上のCおよびCH基は、場合によってNHまたはNRで置換され；
R1およびR2は独立して：水素；メチル；−OH、−OR、＝O、＝S、＝N−OH、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSH、−COSR、−CSOR、−NO2、−OSO3H、−SO3H、−SOR、および−SO2Rからなる群から選択される1個以上の置換基で場合によって置換された1個から10個の炭素を含んだ直鎖状、分枝状、もしくは環状の、飽和もしくは不飽和のアルキル基；ならびにベンジルのフェニル環をR、−OH、−OR、−O2CR、−SH、−SR、−SOCR、−NH2、−NHR、−NHR2、−NHCOR、−I、−Br、−Cl、−F、−CN、−CO2H、−CO2R、−CHO、−COR、−CONH2、−CONHR、−CONR2、−COSH、−COSR、−NO2、−SO3H、および−SO2Rからなる群から選択される1個以上の置換基で場合によって置換されたベンジルからなる群から選択されるが；R1およびR2のいずれもN1とアミドを形成するアシルまたはチオアシル残基ではなく；
Yはエポキシド、−OH、−OR、＝O、＝S、＝N−OH、−O2CR、−SH、−SR、−I、−Br、−Cl、−F、−CN、−CO2R、−CHO、−COR、−CONH2、−CONHR、NRCOR、−CONR2、NO2、−SOR、および−SO2Rからなる群から選択される1個以上の置換基で場合によって置換された1個から10個の炭素を含んでいる直鎖状、分枝状、もしくは環状の、飽和もしくは不飽和のアルキル鎖であり；このアルキル鎖中に存在する１個以上のCH2基は、場合によってOまたはSで置換され；
Rはエポキシド、−OH、−OR'、＝O、＝S、＝N−OH、−O2CR'、−SH、−SR'、−SOCR'、−OSO3H、−NH2、−NHR'、−NHR'2、−NR3＋、−NHCOR'、NR'COR'、−I、−Br、−Cl、−F、−CN、−CO2H、−CO2R'、−CHO、−COR'、−CONH2、−CONHR'、−CONR'2、−COSH、−COSR'、−NO2、−SO3H、−SOR'、および−SO2R'からなる群から選択される1個以上の置換基で場合によって置換された1個から10個の炭素を有する、飽和または不飽和の、直鎖状、分枝状、もしくは環状のアルキル基であり；ここでR'は場合によってNH2で置換される、1個から10個の炭素を有する、飽和または不飽和の、直鎖状、分枝状、もしくは環状のアルキル基である。］
であり、式IIが：
【化２】
2004520372.tif 000002
［式中：
Xは、エポキシド、ケトン、チオカルボニル、オキシム、−OH、−OR、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSR、−NO2、−OSO3H、−SO3H、−SOR、および−SO2Rからなる群から選択される1個以上の置換基で場合によって置換された11個から30個の炭素を有する飽和、もしくは不飽和の、直鎖状、分枝状、もしくは部分的に環状化したアルキル鎖であって；このアルキル鎖中に存在する１個以上のCH2基は、場合によってO、S、NH、およびNRからなる群から選択される部分で置換され；このアルキル鎖中に存在する１個以上のCまたはCH基は、場合によってNHまたはNRで置換され；
R1、R2、およびR3は独立して：メチル；−OH、−OR、＝O、＝S、＝N−OH、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSH、−COSR、−CSOR、−NO2、−OSO3H、−SO3H、−SOR、および−SO2Rからなる群から選択される1個以上の置換基で場合によって置換された1個から10個の炭素を含んだ直鎖状、分枝状、もしくは環状の、飽和もしくは不飽和のアルキル基；ならびにベンジルのフェニル環をR、−OH、−OR、−O2CR、−SH、−SR、−SOCR、−NH2、−NHR、−NHR2、−NHCOR、−I、−Br、−Cl、−F、−CN、−CO2H、−CO2R、−CHO、−COR、−CONH2、−CONHR、−CONR2、−COSH、−COSR、−NO2、−SO3H、−SORおよび−SO2Rからなる群から選択される1個以上の置換基で場合によって置換されたベンジルからなる群から選択されるが；R1、R2、R3のいずれもN1とアミドを形成するアシルまたはチオアシル残基ではなく；
Yはエポキシド、−OH、−OR、＝O、＝S、＝N−OH、−O2CR、−SH、−SR、−I、−Br、−Cl、−F、−CN、−CO2R、−CHO、−COR、−CONH2、−CONHR、NRCOR、−CONR2、NO2、−SOR、および−SO2Rからなる群から選択される1個以上の置換基で場合によって置換された1個から10個の炭素を含んでいる直鎖状、分枝状、もしくは環状の、飽和もしくは不飽和のアルキル鎖であり；このアルキル鎖中に存在する１個以上のCH2基は、場合によってOまたはSで置換され；そして
Rはエポキシド、−OH、−OR'、＝O、＝S、＝N−OH、−O2CR'、−SH、−SR'、−SOCR'、−OSO3H、−NH2、−NHR'、−NHR'2、−NR'3＋、−NHCOR'、NR'COR'、−I、−Br、−Cl、−F、−CN、−CO2H、−CO2R'、−CHO、−COR'、−CONH2、−CONHR'、−CONR'2、−COSH、−COSR'、−NO2、−SO3H、−SOR'、および−SO2R'からなる群から選択される1個以上の置換基で場合によって置換された1個から10個の炭素を有する、飽和または不飽和の、直鎖状、分枝状、もしくは環状のアルキル基であり；ここでR'は場合によってNH2で置換される1個から10個の炭素を有する、飽和または不飽和の、直鎖状、分枝状、もしくは環状のアルキル基である。］
であり、該化合物が、
【化３】
2004520372.tif 000003
ではない、上記組成物。
【請求項２】
Yが場合によって置換された(CH2)nであり、nが1〜5である、請求項１に記載の組成物。
【請求項３】
Xが11〜16個の炭素原子を有し、場合によってRで置換された、飽和の直鎖状または分枝状のアルキル鎖である、請求項１または２に記載の組成物。
【請求項４】
Xが11〜16個の炭素原子を有し、場合によってRで置換された、不飽和の直鎖状または分枝状のアルキル鎖である、請求項１または２に記載の組成物。
【請求項５】
Xが11〜16個の炭素原子を有し、場合によってRで置換された、完全に不飽和で部分的に環状化した直鎖状アルキル鎖である、請求項１または２に記載の組成物。
【請求項６】
該化合物が式Iのものであり、R1およびR2の一方または双方が場合によってNH2、−NHR、−NR2、−NR3＋、および−NHCORからなる群から選択される置換基で置換された直鎖状または分枝状のアルキル基である、請求項１から５のいずれかに記載の組成物。
【請求項７】
該化合物が式Iのものであり、R1およびR2の一方または双方が水素；メチル；および、場合によってOH、−OR、および＝Oからなる群から選択される置換基で置換された直鎖状もしくは分枝状のアルキル基、からなる群から選択されるものである、請求項１から５のいずれかに記載の組成物。
【請求項８】
該化合物が式Iのものであり、R1およびR2の一方または双方が場合によってNH2、−NHR、−NR2、−NR3＋、および−NHCORからなる群から選択される置換基で置換された直鎖状または分枝状のC2からC6のアルキル基である、請求項１から５のいずれかに記載の組成物。
【請求項９】
該化合物が式Iのものであり、R1およびR2の一方または双方が水素；メチル；および、場合によってOH、−OR、および＝Oからなる群から選択される置換基で置換された直鎖状もしくは分枝状のC2からC6のアルキル基からなる群から選択されるものである、請求項１から５のいずれかに記載の組成物。
【請求項１０】
該化合物が式IIのものであり、R1、R2、およびR3の1つ以上が場合によってNH2、−NHR、−NR2、−NR3＋、および−NHCORからなる群から選択される置換基で置換された直鎖状または分枝状のアルキル基である、請求項１から５のいずれかに記載の組成物。
【請求項１１】
該化合物が式IIのものであり、R1、R2、およびR3の1つ以上がメチル；および、場合によって-OH、−OR、および＝Oからなる群から選択される置換基で置換された直鎖状もしくは分枝状のアルキル基からなる群から選択されるものである、請求項１から５のいずれかに記載の組成物。
【請求項１２】
該化合物が式IIのものであり、R1、R2、およびR3の1つ以上が場合によってNH2、−NHR、−NR2、−NR3＋、および−NHCORからなる群から選択される置換基で置換された直鎖状または分枝状のC2からC6のアルキル基である、請求項１から５のいずれかに記載の組成物。
【請求項１３】
該化合物が式IIのものであり、R1、R2、およびR3の1つ以上がメチル；および、場合によって-OH、−OR、および＝Oからなる群から選択される置換基で置換された直鎖状もしくは分枝状のC2からC6のアルキル基からなる群から選択されるものである、請求項１から５のいずれかに記載の組成物。
【請求項１４】
該化合物が式Iのものであり：
(a)  Yは(CH2)nで、nは1、2または3であり；
(b)  Xは11〜15個の炭素原子を有する飽和または不飽和の直鎖状アルキル鎖で、場合によってC1からC6の直鎖状または分枝状のアルキル基で置換されるか；または、11〜16個の炭素原子を有する完全に不飽和で部分的に環状化された直鎖状アルキル鎖であり；
(c)  R1およびR2のうちの一方が、水素、メチルおよび直鎖状または分枝状のC2からC6のアルキル基からなる群から選択されるものであり；
(d)  R1およびR2の他方が直鎖状もしくは分枝状のC2からC6のアルキル基で、場合によってNH2、−NHR、−NR3＋、および−NHCORからなる群から選択される置換基で置換されたものであり、そのRがC1からC6の直鎖状または分枝状の、飽和または不飽和のアルキル基である、
請求項１に記載の組成物。
【請求項１５】
該化合物が式IIのものであり：
(a)  Yは(CH2)nで、nは1、2または3であり；
(b)  Xは11〜15個の炭素原子を有する飽和または不飽和の直鎖状アルキル鎖で、場合によってC1からC6の直鎖状または分枝状のアルキル基であるRで置換されるか；または、11〜16個の炭素原子を有する完全に不飽和で部分的に環状化された直鎖状アルキル鎖であり；
(c)  R1、R2、およびR3の1つまたは2つが、メチル、または直鎖状もしくは分枝状のC2からC6のアルキル基であり；
(d)  R1、R2、およびR3の別の1つが直鎖状もしくは分枝状のC2からC6のアルキル基で、場合によってNH2、−NHR、−NR3＋、および−NHCORからなる群から選択される置換基で置換されたものであり、そのRがC1からC6の直鎖状または分枝状の、飽和または不飽和のアルキル基である、
請求項１に記載の組成物。
【請求項１６】
該組成物中の化合物の構造が：
【化４】
2004520372.tif 000004
であり、式中、CH3基がC-12、C-13、C-14、およびC-15のうちの1カ所で結合している、
請求項１に記載の組成物。
【請求項１７】
該組成物中の化合物の構造が：
【化５】
2004520372.tif 000005
である、請求項１記載の組成物。
【請求項１８】
該組成物中の化合物の構造が：
【化６】
2004520372.tif 000006
である、請求項１に記載の組成物。
【請求項１９】
該組成物中に次の構造：
【化７】
2004520372.tif 000007
から選択される化合物が存在する、請求項１に記載の組成物。
【請求項２０】
該組成物中に次の構造：
【化８】
2004520372.tif 000008
を有する化合物が存在する、請求項１に記載の組成物。
【請求項２１】
実質的に精製された形態の式IまたはIIの化合物またはその製薬上許容される塩であって、式Iが：
【化９】
2004520372.tif 000009
［式中：
Xは、エポキシド、ケトン、チオカルボニル、オキシム、−OH、−OR、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSR、−NO2、−OSO3H、−SO3H、−SOR、および−SO2Rからなる群から選択される1個以上の置換基で場合によって置換された11個から30個の炭素を有する飽和、もしくは不飽和の、直鎖状、分枝状、もしくは部分的に環状化したアルキル鎖であって；このアルキル鎖中に存在する１個以上のCH2基は、場合によってO、S、NH、およびNRからなる群から選択される部分で置換され；このアルキル鎖中に存在する１個以上のCおよびCH基は、場合によってNHまたはNRで置換され；
R1およびR2は独立して：水素；メチル；−OH、−OR、＝O、＝S、＝N−OH、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSH、−COSR、−CSOR、−NO2、−OSO3H、−SO3H、−SOR、および−SO2Rからなる群から選択される1個以上の置換基で場合によって置換された1個から10個の炭素を含んだ直鎖状、分枝状、もしくは環状の、飽和もしくは不飽和のアルキル基；ならびにベンジルのフェニル環をR、−OH、−OR、−O2CR、−SH、−SR、−SOCR、−NH2、−NHR、−NHR2、−NHCOR、−I、−Br、−Cl、−F、−CN、−CO2H、−CO2R、−CHO、−COR、−CONH2、−CONHR、−CONR2、−COSH、−COSR、−NO2、−SO3H、および−SO2Rからなる群から選択される1個以上の置換基で場合によって置換されたベンジルからなる群から選択されるが；R1およびR2のいずれもN1とアミドを形成するアシルまたはチオアシル残基ではなく；
Yはエポキシド、−OH、−OR、＝O、＝S、＝N−OH、−O2CR、−SH、−SR、−I、−Br、−Cl、−F、−CN、−CO2R、−CHO、−COR、−CONH2、−CONHR、NRCOR、−CONR2、NO2、−SOR、および−SO2Rからなる群から選択される1個以上の置換基で場合によって置換された1個から10個の炭素を含んでいる直鎖状、分枝状、もしくは環状の、飽和もしくは不飽和のアルキル鎖であり；このアルキル鎖中に存在する１個以上のCH2基は、場合によってOまたはSで置換され；
Rはエポキシド、−OH、−OR'、＝O、＝S、＝N−OH、−O2CR'、−SH、−SR'、−SOCR'、−OSO3H、−NH2、−NHR'、−NHR'2、−NR'3＋、−NHCOR'、NR'COR'、−I、−Br、−Cl、−F、−CN、−CO2H、−CO2R'、−CHO、−COR'、−CONH2、−CONHR'、−CONR'2、−COSH、−COSR'、−NO2、−SO3H、−SOR'、および−SO2R'からなる群から選択される1個以上の置換基で場合によって置換された1個から10個の炭素を有する、飽和または不飽和の、直鎖状、分枝状、もしくは環状のアルキル基であり；ここでR'は場合によってNH2で置換される、1個から10個の炭素を有する、飽和または不飽和の、直鎖状、分枝状、もしくは環状のアルキル基である。］
であり、式IIが：
【化１０】
2004520372.tif 000010
［式中：
Xは、エポキシド、ケトン、チオカルボニル、オキシム、−OH、−OR、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSR、−NO2、−OSO3H、−SO3H、−SOR、および−SO2Rからなる群から選択される1個以上の置換基で場合によって置換された11個から30個の炭素を有する飽和、もしくは不飽和の、直鎖状、分枝状、もしくは部分的に環状化したアルキル鎖であって；このアルキル鎖中に存在する１個以上のCH2基は、場合によってO、S、NH、およびNRからなる群から選択される部分で置換され；このアルキル鎖中に存在する１個以上のCまたはCH基は、場合によってNHまたはNRで置換され；
R1、R2、およびR3は独立して：メチル；−OH、−OR、＝O、＝S、＝N−OH、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSH、−COSR、−CSOR、−NO2、−OSO3H、−SO3H、−SOR、および−SO2Rからなる群から選択される1個以上の置換基で場合によって置換された1個から10個の炭素を含んだ直鎖状、分枝状、もしくは環状の、飽和もしくは不飽和のアルキル基；ならびにベンジルのフェニル環をR、−OH、−OR、−O2CR、−SH、−SR、−SOCR、−NH2、−NHR、−NHR2、−NHCOR、−I、−Br、−Cl、−F、−CN、−CO2H、−CO2R、−CHO、−COR、−CONH2、−CONHR、−CONR2、−COSH、−COSR、−NO2、−SO3H、−SORおよび−SO2Rからなる群から選択される1個以上の置換基で場合によって置換されたベンジルからなる群から選択されるが；R1、R2、R3のいずれもN1とアミドを形成するアシルまたはチオアシル残基ではなく；
Yはエポキシド、−OH、−OR、＝O、＝S、＝N−OH、−O2CR、−SH、−SR、−I、−Br、−Cl、−F、−CN、−CO2R、−CHO、−COR、−CONH2、−CONHR、NRCOR、−CONR2、NO2、−SOR、および−SO2Rからなる群から選択される1個以上の置換基で場合によって置換された1個から10個の炭素を含んでいる直鎖状、分枝状、もしくは環状の、飽和もしくは不飽和のアルキル鎖であり；このアルキル鎖中に存在する１個以上のCH2基は、場合によってOまたはSで置換され；ならびに
Rはエポキシド、−OH、−OR'、＝O、＝S、＝N−OH、−O2CR'、−SH、−SR'、−SOCR'、−OSO3H、−NH2、−NHR'、−NHR'2、−NR'3＋、−NHCOR'、NR'COR'、−I、−Br、−Cl、−F、−CN、−CO2H、−CO2R'、−CHO、−COR'、−CONH2、−CONHR'、−CONR'2、−COSH、−COSR'、−NO2、−SO3H、−SOR'、および−SO2R'からなる群から選択される1個以上の置換基で場合によって置換された1個から10個の炭素を有する、飽和または不飽和の、直鎖状、分枝状、もしくは環状のアルキル基であり；ここでR'は場合によってNH2で置換された、1個から10個の炭素を有する、飽和または不飽和の、直鎖状、分枝状、もしくは環状のアルキル基である。］
であり、該化合物が、
【化１１】
2004520372.tif 000011
ではない、化合物。
【請求項２２】
Yが場合によって置換された(CH2)nであり、式中nが1〜5である、請求項２１に記載の化合物。
【請求項２３】
Xが11〜16個の炭素原子を有し、場合によってRで置換された、飽和の直鎖状または分枝状のアルキル鎖である、請求項２１または２２に記載の化合物。
【請求項２４】
Xが11〜16個の炭素原子を有し、場合によってRで置換された、不飽和の直鎖状または分枝状のアルキル鎖である、請求項２１または２２に記載の化合物。
【請求項２５】
Xが11〜16個の炭素原子を有し、場合によってRで置換された、完全に不飽和で部分的に環状化したアルキル鎖である、請求項２１または２２に記載の化合物。
【請求項２６】
該化合物が式Iのものであり、R1およびR2の一方または双方が、場合によってNH2、−NHR、−NR2、−NR3＋、および−NHCORからなる群から選択される置換基で置換された直鎖状または分枝状のアルキル基である、請求項２１から２５のいずれかに記載の化合物。
【請求項２７】
該化合物が式Iのものであり、R1およびR2の一方または双方が水素；メチル；および、場合によってOH、−OR、および＝Oからなる群から選択される置換基で置換された直鎖状もしくは分枝状のアルキル基からなる群から選択されるものである、請求項２１から２５のいずれかに記載の化合物。
【請求項２８】
該化合物が式Iのものであり、R1およびR2の一方または双方が、場合によってNH2、−NHR、−NR2、−NR3＋、および−NHCORからなる群から選択される置換基で置換された直鎖状または分枝状のC2からC6のアルキル基である、請求項２１から２５のいずれかに記載の化合物。
【請求項２９】
該化合物が式Iのものであり、R1およびR2の一方または双方が水素；メチル；および、場合によってOH、−OR、および＝Oからなる群から選択される置換基で置換された直鎖状もしくは分枝状のC2からC6のアルキル基からなる群から選択されるものである、請求項２１から２５のいずれかに記載の化合物。
【請求項３０】
該化合物が式IIのものであり、R1、R2、およびR3の1つ以上が、場合によってNH2、−NHR、−NR2、−NR3＋、および−NHCORからなる群から選択される置換基で置換された直鎖状または分枝状のアルキル基である、請求項２１から２５のいずれかに記載の化合物。
【請求項３１】
該化合物が式IIのものであり、R1、R2、およびR3の1つ以上が、メチル；および、場合によってOH、−OR、および＝Oからなる群から選択される置換基で置換された直鎖状もしくは分枝状のアルキル基からなる群から選択されるものである、請求項２１から２５のいずれかに記載の化合物。
【請求項３２】
該化合物が式IIのものであり、R1、R2、およびR3の1つ以上が、場合によってNH2、−NHR、−NR2、−NR3＋、および−NHCORからなる群から選択される置換基で置換された直鎖状または分枝状のC2からC6のアルキル基である、請求項２１から２５のいずれかに記載の化合物。
【請求項３３】
該化合物が式IIのものであり、R1、R2、およびR3の1つ以上がメチル；および、場合によってOH、−OR、および＝Oからなる群から選択される置換基で置換された直鎖状もしくは分枝状のC2からC6のアルキル基からなる群から選択されるものである、請求項２１から２５のいずれかに記載の化合物。
【請求項３４】
該化合物が式Iのものであり：
(a)  Yは(CH2)nで、nは1、2または3であり；
(b)  Xは11〜15個の炭素原子を有する飽和または不飽和の直鎖状アルキル鎖で、場合によってC1からC6の直鎖状または分枝状のアルキル基で置換されたものであるか；または、11〜16個の炭素原子を有する完全に不飽和で部分的に環状化された直鎖状アルキル鎖であり；
(c)  R1およびR2のうちの1つが、水素、メチルおよび直鎖状または分枝状のC2からC6のアルキル基からなる群から選択されるものであり；
(d)  もう一方のR1およびR2が直鎖状もしくは分枝状のC2からC6のアルキル基で、場合によってNH2、−NHR、−NR3＋、および−NHCORからなる群から選択される置換基で置換されたものであり、そのRがC1からC6の直鎖状または分枝状の、飽和または不飽和のアルキル基である、
請求項２１に記載の化合物。
【請求項３５】
該化合物が式IIのものであり：
(a)  Yは(CH2)nで、nは1、2または3であり；
(b)  Xは11〜15個の炭素原子を有する飽和または不飽和の直鎖状アルキル鎖で、場合によってC1からC6の直鎖状または分枝状のアルキル基であるRで置換されたものであるか；または、11〜16個の炭素原子を有する完全に不飽和で部分的に環状化された直鎖状アルキル鎖であり；
(c)  R1、R2、およびR3の1つまたは2つが、メチル、または直鎖状もしくは分枝状のC2からC6のアルキル基であり；
(d)  R1、R2、およびR3の別の1つが直鎖状もしくは分枝状のC2からC6のアルキル基で、場合によってNH2、−NHR、−NR3＋、および−NHCORからなる群から選択される置換基で置換されたものであり、そのRがC1からC6の直鎖状または分枝状の、飽和または不飽和のアルキル基である、
請求項２１に記載の化合物。
【請求項３６】
該化合物の構造が：
【化１２】
2004520372.tif 000012
であり、式中、CH3基がC-12、C-13、C-14、およびC-15のうちの1カ所で結合している、
請求項２１に記載の化合物。
【請求項３７】
該化合物の構造が：
【化１３】
2004520372.tif 000013
である、請求項２１に記載の化合物。
【請求項３８】
該化合物の構造が：
【化１４】
2004520372.tif 000014
である、請求項２１に記載の化合物。
【請求項３９】
該化合物が次の構造：
【化１５】
2004520372.tif 000015
から選択される、請求項２１に記載の化合物。
【請求項４０】
該化合物が次の構造：
【化１６】
2004520372.tif 000016
を有する、請求項２１に記載の化合物。